(57)【要約】【課題】幅広い年齢層に対して適切な難易度に容易に設定することができ、従来にはない新規なパズルカードおよび同カードを用いた新規なパズルブックを提供する。【解決手段】複数枚のカード６Ａ、６Ｂ、６Ｃ、６Ｄよりなり、各カードは少なくとも一方の面に絵、文字あるいは記号等の図柄が描かれているとともに表裏を連通する複数の切欠き窓８、８を有し、各カードの図柄は切欠き窓の部分が欠けた未完成のものであるが、これらのカードを或る順序で重ね合わせると最前面に位置するカードの切欠き窓から背面側のカードに描かれている図柄の一部が現れて最前面のカードに描かれている図柄が完成するようにパズルカードを構成し、このパズルカードを入れた収容体２を綴じ合わせてパズルブックを構成した。【選択図】  図２
2004147832.tif 000002
【特許請求の範囲】
【請求項１】
複数枚のカードよりなり、各カードは少なくとも一方の面に絵、文字あるいは記号等の図柄が描かれているとともに表裏を連通する複数の切欠き窓を有し、各カードの図柄は切欠き窓の部分が欠けた未完成のものであるが、これらのカードを或る順序で重ね合わせると最前面に位置するカードの切欠き窓から背面側のカードに描かれている図柄の一部が現れて最前面のカードに描かれている図柄が完成するようにしたパズルカード。
【請求項２】
少なくとも一方の面に絵、文字あるいは記号等の図柄が描かれているとともに表裏を連通する複数の切欠き窓を有する複数枚のカードと、これらのカードを入れる収容体よりなり、前記各カードの図柄は切欠き窓の部分が欠けた未完成のものであるが、これらのカードを或る順序で重ね合わせると最前面に位置するカードの切欠き窓から背面側のカードに描かれている図柄の一部が現れて最前面のカードに描かれている図柄が完成するようにしたパズルカード。
【請求項３】
前記収容体は、前面板と背面板との間にカードの収容スペースを有し、前面板に窓を備えるフレーム体よりなり、前記窓から収容スペース内のカードの図柄が見えるようにした構成のものである請求項２に記載のパズルカード。
【請求項４】
前記収容体は、前面に窓を有する窓付き袋よりなり、前記窓から袋内のカードの図柄が見えるようにした構成のものである請求項２に記載のパズルカード。
【請求項５】
複数枚のカードよりなり、各カードは少なくとも一方の面に絵、文字あるいは記号等の図柄が描かれているとともに表裏を連通する複数の切欠き窓を有し、各カードの図柄は切欠き窓の部分が欠けた未完成のものであるが、これらのカードを或る順序で重ね合わせると最前面に位置するカードの切欠き窓から背面側のカードに描かれている図柄の一部が現れて最前面のカードに描かれている図柄が完成するようにしたパズルカードと、前面板と背面板との間に形成したスペース内に前記パズルカードを出し入れ可能に収容し、前面板にあけた窓から前記スペース内のカードの図柄が見えるようにしたカードフレームを備え、複数のカードフレームどうしの一辺を綴じ合わせてなるパズルブック。
【請求項６】
少なくとも一方の面に絵、文字あるいは記号等の図柄が描かれているとともに表裏を連通する複数の切欠き窓を有する複数枚のカードの各一辺を、各カードが離脱できるように綴じ合わせてなり、前記各カードの図柄は切欠き窓の部分が欠けた未完成のものであるが、これらのカードを離脱せしめて或る順序で重ね合わせると最前面に位置するカードの切欠き窓から背面側のカードに描かれている図柄の一部が現れて最前面のカードに描かれている図柄が完成するようにしたパズルブック。
【発明の詳細な説明】
【０００１】
【発明の属する技術分野】
本発明は複数枚のカードを重ね合わせて絵、文字、記号等の図柄を完成させる新規なパズルカードおよび同カードを用いた新規なパズルブックに関する。
【０００２】
【従来のカードパズルおよびパズルブック】
カードパズルには、絵や文字等の未完成の図柄が描かれた複数のカードよりなり、これらのカードを組み合わせて図柄を完成させるいわゆる絵合わせパズルがあり、この絵合わせパズルには従来から各種のものがあって、娯楽用としてだけではなく、幼児や児童の教育用玩具としても広く用いられている。
【０００３】
また、パズルブックには例えば物語の登場人物が描かれた絵のピースを本に形成した凹み部に嵌め合わせて遊ぶことができるようにしたものや、本の一部がジグソーパズルになっているものがある。
【０００４】
【目的】
本発明の目的とするところは、幅広い年齢層に対して適切な難易度に容易に設定することができ、従来にはない新規なパズルカードおよび同カードを用いた新規なパズルブックを提供することにある。
【０００５】
【発明の構成】
上記目的を達成するために、本発明に係るパズルカードは、複数枚のカードよりなり、各カードは少なくとも一方の面に絵、文字あるいは記号等の図柄が描かれているとともに表裏を連通する複数の切欠き窓を有し、各カードの図柄は切欠き窓の部分が欠けた未完成のものであるが、これらのカードを或る順序で重ね合わせると最前面に位置するカードの切欠き窓から背面側のカードに描かれている図柄の一部が現れて最前面のカードに描かれている図柄が完成するようにした構成のものとしてあり、また、パズルカードは窓を有する前面板と背面板との間に収容スペースが形成されたカードフレームや、前面に窓を有する窓付き袋等の収容体に入れたものとしてある。
【０００６】
本発明に係るパズルブックは、複数枚のカードよりなり、各カードは少なくとも一方の面に絵、文字あるいは記号等の図柄が描かれているとともに表裏を連通する複数の切欠き窓を有し、各カードの図柄は切欠き窓の部分が欠けた未完成のものであるが、これらのカードを或る順序で重ね合わせると最前面に位置するカードの切欠き窓から背面側のカードに描かれている図柄の一部が現れて最前面のカードに描かれている図柄が完成するようにしたパズルカードと、前面板と背面板との間に形成したスペース内に前記パズルカードを出し入れ可能に収容し、前面板にあけた窓から前記スペース内のカードの図柄が見えるようにしたカードフレームを備え、複数のカードフレームどうしの一辺を綴じ合わせてなる構成のものとしてある。
【０００７】
また本発明に係るパズルブックは、少なくとも一方の面に絵、文字あるいは記号等の図柄が描かれているとともに表裏を連通する複数の切欠き窓を有する複数枚のカードの各一辺を、各カードが離脱できるように綴じ合わせてなり、前記各カードの図柄は切欠き窓の部分が欠けた未完成のものであるが、これらのカードを離脱せしめて或る順序で重ね合わせると最前面に位置するカードの切欠き窓から背面側のカードに描かれている図柄の一部が現れて最前面のカードに描かれている図柄が完成するようにしたものとしてある。
【０００８】
【実施例】
以下、本発明の実施例を添付図面に示す具体例に基づいて詳細に説明する。
図１はパズルブックの一例を示し、表紙１とカードフレーム２、２の各一辺が綴じ合わされて一冊のパズルブックが構成されている。
【０００９】
各カードフレーム２は、いずれもボール紙等の厚紙よりなり、サイズが同じである前面板３と背面板４との間にスペーサ５を設けたものとしてあって、このスペーサは左右の枠辺部５ａ、５ｂの各下部間に下枠辺部５ｃを有する略Ｕ字状のものとしてあり、前面板と背面板の間に後述するパズルカード６の収容スペース７を形成している。
【００１０】
上記前面板３には窓３ａがあけられていて、この窓３ａから上記収容スペース７内のパズルカード６を見ることができるようになっており、また背面板４の表面（カード収容スペースと反対側の面）には、例えばパズルカードに描かれている絵や文字あるいは記号や数字等の図柄に対応する物語や説明あるいは関連する絵などが表示されている。
【００１１】
しかして前記パズルカード６は、図４に示されるように複数枚（本実施例では４枚）のカード６Ａ、６Ｂ、６Ｃ、６Ｄで構成されており、各カードはある程度の剛性を有するボール紙等の厚紙や合成樹脂板よりなり、各カードには切欠き窓８、８が形成されていて、各カードは切欠き窓の部分の図柄が欠損した状態であるが、全てのカードをある順序に重ね合わせると、最前面のカードの切欠き窓から他のカードの一部が現れて図柄が完成するようになっており、以下にパズルカードの具体的な構成について説明する。
【００１２】
なお、以下の実施例においては４枚のカード全てを重ね合わせて図柄を完成させ、重ね合わせの順番を変えることによって全部で４種類の図柄を完成させるパズルの場合について説明する。
【００１３】
各カードの一方の面（表面）９には、それぞれ全体に１種類の図柄（基本図柄）が描かれており、これらいずれの図柄も切欠き窓８、８の部分の図柄が欠けた未完成の図柄となっていて、他方の面（裏面）１０には他の３枚のカードに描かれた図柄の欠けた部分を補う図柄のピース（ピース図柄）１１、１１が描かれている。
【００１４】
より具体的には、１枚のカード６の表面９が複数のエリア（本実施例では９つの略正方形のエリア）１２、１２に区画されており、これらのエリアのうち、いくつかのエリア内には略正方形の前記切欠き窓８があけられていて、切欠き窓の数は本実施例のように４枚のカードを用いる場合には少なくとも３つ以上必要であり、本実施例ではいずれのカードにも４つの切欠き窓８、８を設けてある。
【００１５】
また、カード６の裏面１０も表面と同数のエリア１２、１２に区画されていて、切欠き窓８、８があけられていないエリアに前記ピース図柄１１が描かれている。
【００１６】
しかして、上述した構成のパズルで遊ぶ際には、まず１枚のカードを選びその表面９を最前面にして、他の３枚のカードを各裏面１０が前面側となるようにして最前面のカードの裏側に重ねる。これら他の３枚のカードの並び順には６通りあり、この６通りの並び順のうち、最前面のカードの切欠き窓に適正なピース図柄１１が現れるように並び順を選び、最前面のカードの図柄の切欠き窓の部分がピース図柄で補われた図柄を完成させる。
【００１７】
同様に、上記最前面となるカードを順次替えて他の図柄を完成させると全部で４通りの図柄ができるようになっている。
【００１８】
上述のように図柄を完成させた状態で、前述したパズルブックのカードフレーム２にセットするとカードの完成した図柄がパズルブックのひとつのページを構成し、また、カードの並び順を替えることによって複数の図柄を作ることができるので、これら複数の図柄をあたかも紙芝居のように利用することができる。
【００１９】
なお、本実施例では各パズルカードの一方の面（表面）９に、基本図柄が描かれ、他方の面（裏面）１０にはピース図柄１１、１１が描かれており、かくすると最前面に位置せしめる任意の一枚のカード以外は全てピース図柄のある裏面を使用し、全てのカードを使用することができるというメリットがあるが、表裏ともに基本図柄が描かれたカードと、表裏ともにピース図柄が描かれたカードをセットにする場合もある。
【００２０】
上述した実施例においては表裏ともに図柄があるパズルカードを４枚１セットとして使用しているが、２枚以上のパズルカードがあればパズルを構成することができ、基本的にはパズルカードの枚数が増加するに従ってパズルの難易度が増すので、パズルの対象年齢や使用目的に合わせて適切な枚数のセットとすることができる。
【００２１】
なお、表裏ともに図柄があるパズルカードをＮ枚１セットとして使用する場合には、Ｎ通りの図柄を完成させるパズルとなり、この場合各カードに設けるエリアの数はＮ以上、切欠き窓の数はＮ−１以上とする。
また、一方の面だけに図柄があるパズルカードを複数枚用いる場合もある。
【００２２】
さらに、上述した実施例のパズルカードは、カードおよびエリアや切欠き窓がいずれも略正方形のものとしてあるが、円形や三角形等の他の形状とする場合もあるし、カードが円形や正多角形のものである場合にはパズルカードを重ねる順序だけでなく、カードの回転方向の向きもパズルの要素に含めてパズルの難易度を高く設定する場合もある。
【００２３】
また、パズルカードに描かれる図柄は絵や文字や記号（数字）を組み合わせたものとする場合もあり、幼児・児童への文字や算数等の教育用の玩具（知育玩具）としても有効に利用できる。
【００２４】
次ぎに、本発明に係るパズルブックの他の実施例を図７に基づいて説明する。
本実施例のパズルブックは表紙１、本文頁１３、１３、パズルカード６Ａ、６Ｂ、６Ｃ、６Ｄおよびカードフレーム１４を綴じ合わせたものとしてある。
【００２５】
前記本文頁１３、１３は例えば物語やパズルの説明が表示されていてパズルブックから離脱させることはできないが、各パズルカードはミシン目や薄肉に形成した溝等の切り取り線部１５から切り離すことができるようになっていて、パズルカードを切り離し、本文頁の表示を見ながらパズルカードを組み合わせて遊び、カードフレーム１４にセットしてパズルカードの図柄を完成させる構成となっており、カードフレーム１４はパズルカードの収納部を兼ねている。
【００２６】
上記カードフレームは、前面板１６と背面板１７の３辺部を貼り合わせてこれら前面板と背面板との間にカードの収容スペースが形成され、他の１辺をカードの出入口としてあけてあって、前面板１６に窓１６ａを設けたものとしてある。
【００２７】
なお、上記カードフレームは前述した第１実施例のもののように前面板と背面板との間にスペーサを介在せしめたものとする場合もあるし、単に前面に窓を有する窓付き袋を綴じ合わせて設ける場合もある。
【００２８】
上述した第１および第２実施例はパズルカードをパズルブックと組み合わせて使用する構成としてあるが、ブックタイプに構成しない場合もある。
具体的には、図８に示されるようにパズルカードを収容体たる袋１８に入れておき、この袋からパズルカードを出して遊ぶようにする場合もあり、この場合には袋１８の前面または背面にパズルを完成させた場合の図柄と、パズルの遊び方を表示しておく。
【００２９】
また、上記袋を図９のように前面に窓１９ａを有する窓付き袋１９とし、窓１９ａは例えば透明な合成樹脂フィルム２０で覆い、袋の中に収容したパズルカードの図柄を外から見ることができるようにする場合や袋そのものを透明なフィルムで構成する場合もある。
【００３０】
上述のように収容体を袋で構成する場合には、カードをトランプカードのように紙あるいは合成樹脂シートよりなる薄手のものとするのが好適であり、サイズもトランプカードと同程度か小なるものにすると商品のおまけや販売促進用の広告用品として有効に利用できる。
【００３１】
また、図２、３あるいは図７に示されるカードフレーム２、１４をブック状に閉じ合わせずに単体の収容体として使用する場合もある。
【００３２】
【発明の効果】
本発明に係るパズルカードは、１セットのパズルを構成するカードの枚数や各カードにあけた切欠き窓の数等の設定条件によってパズルの難易度を変えることができるので、パズルの対象年齢に合わせた適切な難易度のパズルを容易に製作することができる。
【００３３】
また、本発明に係るパズルブックは、例えば物語の進行に合わせてパズルカードの重ね合わせ順序を変え、あたかも紙芝居のように図柄を変えて行くというような使い方ができ、単にパズルを完成させる楽しみがあるだけではなく、物語の流れに沿って図柄を順次完成させることによって、物語をより深く楽しむことができるというメリットもある。
【図面の簡単な説明】
【図１】本発明に係るパズルブックの第１実施例を示す斜視図。
【図２】カードフレームの一部を破断して示す斜視図。
【図３】カードフレームの横断面図。
【図４】パズルカードの構成を示す平面図。
【図５】パズルカードの表面を示す図。
【図６】パズルカードの裏面を示す図。
【図７】パズルブックの第２実施例を示す斜視図。
【図８】パズルカードの収容体の他の例を示す図。
【図９】パズルカードの収容体のさらに他の例を示す図。
【符号の説明】
１  表紙
２  カードフレーム
３  前面板
４  背面板
５  スペーサ
６、６Ａ、６Ｂ、６Ｃ、６Ｄ  パズルカード
７  収容スペース
８  切欠き窓
９  カードの表面
１０  カードの裏面
１１  ピース図柄
１２  カードのエリア
１３  本文頁
１４  カードフレーム
１５  切り取り線部
１６  前面板
１７  背面板
１８  袋
１９  窓付き袋
２０  合成樹脂フィルム
【図１】
2004147832.tif 000003
【図２】
2004147832.tif 000004
【図３】
2004147832.tif 000005
【図４】
2004147832.tif 000006
【図５】
2004147832.tif 000007
【図６】
2004147832.tif 000008
【図７】
2004147832.tif 000009
【図８】
2004147832.tif 000010
【図９】
2004147832.tif 000011